(57)【要約】【課題】備品などの収納を可能にした収納箱体の下側に位置する内壁面への各種器具の設置に制約を与えることがなく、また、それら器具やそれに接続されるものと扉が干渉せず、扉を閉めたとき、器具を隠蔽し、器具周辺の見栄えを向上させることのできるウォールキャビネットを提供すること。【解決手段】内部に収納部を有し、一端が開放された収納箱体４を備え、この収納箱体の開放された一端に開閉自在な扉１４が設けられ、部屋２の内壁面３への取付けが可能とされたウォールキャビネット１において、扉が、内壁面に取り付けられた状態における収納箱体の底面６ａより下側に突出し、扉を閉めたときに、収納箱体の底面より下側に位置する内壁面に設置された各種器具をその前方から覆い隠せる程度の長さＬを有している。【選択図】図１
2012105778.tif 000002
【特許請求の範囲】
【請求項１】
内部に収納部を有し、一端が開放された収納箱体を備え、この収納箱体の開放された一端に開閉自在な扉が設けられ、部屋の内壁面への取付けが可能とされたウォールキャビネットにおいて、
前記扉が、前記内壁面に取り付けられた状態における前記収納箱体の底面より下側に突出し、扉を閉めたときに、収納箱体の底面より下側に位置する内壁面に設置された各種器具をその前方から覆い隠せる程度の長さを有している
ことを特徴とするウォールキャビネット。
【発明の詳細な説明】
【技術分野】
【０００１】
本発明は、洗面室などの内壁面に取り付けられ、備品などを収納するウォールキャビネットに関する。
【背景技術】
【０００２】
ウォールキャビネットは、たとえば、キッチン、洗面室などの内壁面の天井際や、厨房装置、洗面化粧台などの各種機器の上方の所定位置に取り付けられ、そこで使用される備品などを収納箱体の内部に収納可能にしている。備品などは、人の手の届く高さ程度に収納され、使用したいときにその場で取り出すことができ、ウォールキャビネットは、諸作業の利便性を向上させている。
【０００３】
このようなウォールキャビネットに関して、下記特許文献１には、洗面ボウル部を保持する洗面ボウル基台部が取り付けられた洗面化粧台と、この洗面化粧台の上方に設置され、扉付収納部を有する化粧鏡とからなる洗面化粧ユニットが記載されている。この洗面化粧ユニットでは、洗面ボウル基台部において化粧鏡が投影される部分が、他の部分より高い位置に形成され、扉の下端が、洗面ボウル基台部において化粧鏡が投影される部分の端部に当接している。そして、洗面ボウル基台部において化粧鏡が投影される部分が、化粧鏡における収納部の最下段の底板を兼ねている。
【０００４】
特許文献１に記載された洗面化粧ユニットでは、化粧鏡の収納部の最下段は、下端が開放されているが、洗面ボウル基台部において化粧鏡が投影される部分が底板を兼ねている。このため、化粧鏡の収納部の最下段も、扉によって開閉自在とされた備品などの収納部、特に水滴がついている濡れものの収納部として利用することができる。
【先行技術文献】
【特許文献】
【０００５】
【特許文献１】特開２００２−１１２９０６号公報
【発明の概要】
【発明が解決しようとする課題】
【０００６】
上記のとおり、特許文献１に記載された洗面化粧ユニットでは、洗面ボウル基台部において化粧鏡が投影される部分は、扉付収納部の一部を形成しており、事実上、洗面ボウル基台部の上に化粧鏡を載せて設置されたものであると理解される。
【０００７】
一方、化粧鏡の前でドライヤーなどを使用するために、洗面化粧台の近くに電気コンセントなどの配線器具が設置される場合がある。
【０００８】
もっとも、特許文献１に記載された洗面化粧ユニットでは、化粧鏡における収納部の最下段は、上記のとおり、濡れものの収納部であるため、配線器具を洗面化粧台の上方に設置することは、感電という観点から制限され、また、最下段の収納物との干渉という観点からも制限されることになる。したがって、配線器具は、洗面室の内壁面に露出するように設置せざるを得ない。
【０００９】
本発明は、以上のとおりの事情に鑑みてなされたものであり、備品などの収納を可能にした収納箱体の下側に位置する内壁面への配線器具などの各種器具の設置に制約を与えることがなく、また、それら器具やそれに接続されるものと扉が干渉せず、扉を閉めたとき、器具を隠蔽し、器具周辺の見栄えを向上させることのできるウォールキャビネットを提供することを課題としている。
【課題を解決するための手段】
【００１０】
上記の課題を解決するために、本発明のウォールキャビネットは、内部に収納部を有し、一端が開放された収納箱体を備え、この収納箱体の開放された一端に開閉自在な扉が設けられ、部屋の内壁面への取付けが可能とされたウォールキャビネットにおいて、扉が、前記内壁面に取り付けられた状態における収納箱体の底面より下側に突出し、扉を閉めたときに、収納箱体の底面より下側に位置する内壁面に設置された各種器具をその前方から覆い隠せる程度の長さを有していることを特徴としている。
【発明の効果】
【００１１】
本発明のウォールキャビネットによれば、備品などの収納を可能にした収納箱体の下側に位置する内壁面への配線器具などの各種器具の設置に制約を与えることがなく、また、それら器具やそれに接続されるものと扉が干渉せず、扉を閉めたとき、器具を隠蔽し、器具周辺の見栄えを向上させることができる。
【図面の簡単な説明】
【００１２】
【図１】本発明のウォールキャビネットの一実施形態を示した斜視図である。
【図２】図１に示したウォールキャビネットの正面図である。
【図３】図１に示したウォールキャビネットの扉を開いた状態を示した正面図である。
【発明を実施するための形態】
【００１３】
図１は、本発明のウォールキャビネットの一実施形態を示した斜視図である。図２は、図１に示したウォールキャビネットの正面図である。図３は、図１に示したウォールキャビネットの扉を開いた状態を示した正面図である。
【００１４】
ウォールキャビネット１は、洗面室２の内壁面３に取り付けられている。ウォールキャビネット１は、図３に示したように、中空で矩形状の収納箱体４を備えている。収納箱体４は、同サイズで矩形板状の天板５と底板６が所定の間隔で対向して配置され、同じく矩形板状の側板７が、天板５と底板６の左右の端縁部の各一つに設けられて形成されている。そして、収納箱体４は、その内部に、洗面室２の備品などを収納する収納部８を有している。収納部８は、矩形板状の棚板９によって上下二段に区画されている。上段収納部８ａには、各種のサイズのタオル１０が収納され、サイズ毎に仕分けされて棚板９の上に積み重ねられている。下段収納部８ｂには、洗剤などを詰めたボトル１１、スプレー１２および紙箱１３が収納され、底板６の上に載せられている。
【００１５】
収納箱体４への棚板９の取付方法には特に制限はなく、側板７の内側面にダボ孔やねじ孔などを形成し、これらの孔にダボを嵌入、螺合などとして棚板９をその下端部から支持する方法などを例示することができる。
【００１６】
このような収納箱体４は、その一端、すなわち、洗面室２の内壁面３に取り付けられた状態における前端が開放され、この前端に、同サイズで矩形板状の２枚の扉１４が、蝶番１５によって取り付けられている。したがって、各扉１４は、収納箱体４の前端において前後に回動自在であり、開き戸のように開閉可能となっている。２枚の扉１４の内、左側の扉１４ａは、左側に回動させることによって開き、右側に回動させることによって閉まる。逆に、右側の扉１４ｂは、右側に回動させることによって開き、左側に回動させることによって閉まる。
【００１７】
また、２枚の扉１４は、図１に示したように、その長さＬが収納箱体４の高さｈより長く、収納箱体４の底面、すなわち、収納箱体４を形成する底板６の底面６ａより下側に突出している。
【００１８】
このようなウォールキャビネット１は、各種機器としての洗濯機１６の上方に配置されている。具体的には、ウォールキャビネット１は、洗面室２の内壁面３に設置された各種器具としての電気コンセント１７および水栓金具１８の上方付近に取り付けられている。電気コンセント１７は、洗濯機１６に電源を供給し、アースをするための配線器具であり、また、水栓金具１８は、洗濯機１６に水道水を供給するための給水器具である。これらの電気コンセント１７および水栓金具１８は、法令の定めなどにより、洗面室２の床面から所定の高さで内壁面３に設置されている。
【００１９】
洗濯機１６に備え付けの電気コード１９は、図３に示したように、その先端に設けられた電気プラグ２０を電気コンセント１７に差し込むことにより接続されている。同じく、ホース２１は、アダプタ２２を介して水栓金具１８に接続されている。
【００２０】
ウォールキャビネット１の２枚の扉１４は、図１および図２に示したように、それを閉めたとき、電気コンセント１７および水栓金具１８をその前方から覆い隠すことができるように、その長さＬは、上記のとおり、収納箱体４の高さｈより長く、収納箱体４の底板６の底面６ａから長さｌだけ長くなっている。すなわち、
Ｌ ＝ ｈ ＋ ｌ
の関係となっている。
【００２１】
なお、収納箱体４の底板６の底面６ａからの長さｌは、電気コンセント１７または水栓金具１８のいずれかの下端の内、最も底面６ａから離れている下端より２〜３cm程度下側ぐらいを目安とすることができる。洗濯機１６の上面に至るまで長くはしない。このように、ウォールキャビネット１に設けられた２枚の扉１４は、洗面室２において収納箱体４の底面、言い換えれば、底板６の底面６ａ、より下側の内壁面３に設置された各種器具、すなわち、電気コンセント１７および水栓金具１８をその前方から覆い隠せる程度の長さを有している。
【００２２】
したがって、ウォールキャビネット１では、２枚の扉１４は、収納箱体４の下側の内壁面３への電気コンセント１７や水栓金具１８などの各種器具の設置に制約を与えることがなく、また、それら器具や器具に接続される電気コード１９よびホース２１と扉１４は干渉もしない。扉１４を閉めたときには、器具を隠蔽し、器具との接続部における電気コード１９およびホース２１も部分的に隠蔽することができ、器具周辺の見栄えを向上させることができる。
【００２３】
また、２枚の扉１４は、上記のとおりの長さＬを有しているので、その下端部に手をかけて開けることができ、図１−３に示したように、扉１４には、開閉操作のために取っ手を必ずしも必要としない。取っ手は、ウォールキャビネット１の設置高さを考慮して扉１４の下端部に適宜設けることができる。
【００２４】
本発明のウォールキャビネットは、上記実施形態によって限定されるものではない。収納箱体の底面より下側の内壁面に設置される各種器具は、ウォールキャビネットの下方に設置される各種機器に対応して選定することができる。また、ウォールキャビネットの下方に設置される各種機器は、洗濯機ばかりでなく、洗面室の場合には洗面化粧台、キッチンの場合には厨房装置などを選定することができる。さらに、ウォールキャビネットが設置される部屋も特に制限されることはない。
【符号の説明】
【００２５】
１  ウォールキャビネット
２  部屋としての洗面室
３  内壁面
４  収納箱体
６ａ  収納箱体の底面としての底板の底面
８  収納部
１４  扉
１７  各種器具としての電気コンセント
１８  各種器具としての水栓金具
Ｌ  扉の長さ
【図１】
2012105778.tif 000003
【図２】
2012105778.tif 000004
【図３】
2012105778.tif 000005